(57)【要約】  ハウジングを有するシェービングかみそり。ハウジングは、複数のシェービングブレードと、別個のトリミングブレードを含む。トリミングブレードは、トリミングブレードエッジを有する。正確なシェービングを得るために、前記ハウジングによって視覚的に隠されているトリミングブレードエッジをユーザーの皮膚上で整列させるためのトリミングブレード整列部材が、ハウジング上に設けられる。
2009542400.tif 000002
【特許請求の範囲】
【請求項１】
複数のシェービングブレードを含むハウジングと、
前記ハウジング内に配置された別個のトリミングブレードと、を含み、前記トリミングブレードがトリミングブレードエッジを有し、前記ハウジングが前記トリミングブレードエッジを視覚的に隠す、シェービングかみそりであって、
正確なシェービングのために、前記ハウジングにより視覚的に隠されている前記トリミングブレードエッジをユーザーの皮膚上で整列させるための、前記ハウジング上のトリミングブレード整列部材を備えたことを特徴とする、シェービングかみそり。
【請求項２】
前記トリミングブレード整列部材が、トリミングブレードエッジ位置の視覚表示を提供する、請求項１に記載のシェービングかみそり。
【請求項３】
前記トリミングブレード整列部材が、前記ハウジング上の線状マークである、請求項１又は２のいずれかに記載のシェービングかみそり。
【請求項４】
前記トリミングブレード整列部材は、シェービング中に、前記ハウジングが前記ユーザーの皮膚に対して保持されるべき角度を表示する、請求項１〜３のいずれか一項に記載のシェービングかみそり。
【請求項５】
前記トリミングブレード整列部材が高照度要素を含む、請求項１に記載のシェービングかみそり。
【請求項６】
前記ハウジングが第一の色であり、前記トリミングブレード整列部材が、前記第一の色と異なる第二の色である、請求項１に記載のシェービングかみそり。
【請求項７】
前記トリミングブレード整列部材が、前記ハウジング中の凹部を含む、請求項１に記載のシェービングかみそり。
【請求項８】
前記トリミングブレード整列部材が、前記ハウジングからの突出部を含む、請求項１に記載のシェービングかみそり。
【請求項９】
シェービングストロークの遂行中に前記トリミングブレードの前及び後ろで前記皮膚に接触するための皮膚接触面が前記ハウジング上に設けられており、前記線状マークが、前記皮膚接触面に接する平面に対してほぼ垂直に延びて、前記ブレードエッジの長手方向に突き出るブレードエッジ位置と実質的に交差する、請求項１に記載のシェービングかみそり。
【発明の詳細な説明】
【技術分野】
【０００１】
本発明は、シェービングかみそりに関するものであり、特に、正確なシェービングを得るためにブレードエッジをユーザーの皮膚上で整列させるための整列部材を有する、シェービングかみそりに関する。
【背景技術】
【０００２】
近年、多数のブレードを有するシェービングかみそりが、文献に提案されるとともに市販されており、例えば、米国特許第２００５／００３９３３７Ａ１号（２００５年２月２４日公開）には、ジレット社（The Gillette Company）により５枚ブレード付きフュージョン（Fusion）（商標）かみそりとして市販されているタイプの設計が一般的に記されている。
【０００３】
シェービングかみそり上のブレード枚数を増やすと、一般に、かみそりのシェービング効率を向上させ、圧縮力を皮膚上でより良く分布させる傾向を有するようになるが、例えばもみあげ又は鼻近辺をトリムする能力を低減する場合もある。トリムする能力を向上させるために、かみそりカートリッジの後ろに取り付けられた追加ブレードが設けられて、トリムする能力を改善している。追加ブレードを有するこのような設計が、前述の米国特許第２００５／００３９３３７Ａ１号に記載され、ジレット社によるフュージョン（Fusion）かみそりにおいて市販されている。
【０００４】
トリミングブレードは、もみあげ又は鼻近辺の毛をトリムするのに非常に有用であるが、トリミングブレードがかみそりカートリッジによって視界から隠されるので、トリミングブレードの正確な場所を位置決めすることは困難である。隠されている場合、ユーザーは、正確なトリムのためにトリミングブレードを皮膚上で正確に位置決めすることが困難になる。トリミングブレードを正確に位置決めできないことが、正確なシェービングに至らなくなり、満足のいくシェービング経験には至らない結果となる場合もある。
【発明の開示】
【発明が解決しようとする課題】
【０００５】
それ故に、シェービング中にユーザーがトリミングブレードをユーザーの皮膚上で適切に整列できるようにする整列部材をハウジング上に有する、シェービングかみそりを提供することが望ましい。
【課題を解決するための手段】
【０００６】
１つの態様において、本発明は、一般的に、ハウジング（このハウジングは複数のシェービングブレード及び別個のトリミングブレードを含み、トリミングブレードはトリミングブレードエッジを有し、ハウジングがトリミングブレードエッジを視覚的に隠す）、並びに、正確なシェービングを得るために、ハウジングにより視覚的に隠されているトリミングブレードエッジをユーザーの皮膚上で整列するための、ハウジング上のトリミングブレード整列部材を含む、シェービングかみそりを特徴とする。
【０００７】
別の態様において、本発明は、一般的に、トリミングブレードエッジ位置の視覚表示を提供するトリミングブレード整列部材を特徴とする。トリミングブレード整列部材は、ハウジング上の線状マークであってもよく、ハウジング中の凹部であってもよく、ハウジングからの突出部であってもよく、高照度要素であってもよく、電気的に活性化される構成要素を代わりに含む発光マークであってもよく、及びハウジングの色とは異なる第一の色であってもよい。
【０００８】
別の態様において、本発明は、一般的に、シェービング中にハウジングがユーザーの皮膚に対して保持されるべき角度を表示する、トリミングブレード整列部材を特徴とする。
【０００９】
別の態様において、本発明は、一般的に、ハウジング（このハウジングは複数のシェービングブレードを含み、シェービングブレードは第一方向に面するシェービングブレードエッジを含み、別個のトリミングブレードがハウジング内に配置され、トリミングブレードがトリミングブレードエッジを有し、ハウジングがトリミングブレードエッジを視覚的に隠し、トリミングブレードエッジが第一方向とは異なる第二方向に面する）、並びに、上記トリミングブレードで正確なシェービングを得るために、ハウジングにより視覚的に隠されているトリミングブレードエッジをユーザーの皮膚上で整列するための、ハウジング上のトリミングブレード整列部材を含む、シェービングかみそりを特徴とする。
【００１０】
別の態様において、本発明は、一般的に、シェービングストロークの遂行中にトリミングブレードの前及び後ろで皮膚に接触するための皮膚接触面がハウジング上に設けられているとともに、線状マークが、皮膚接触面に接する平面に対してほぼ垂直に延びて、ブレードエッジの長手方向に突き出るブレードエッジ位置と実質的に交差する、シェービングかみそりを特徴とする。
【発明を実施するための最良の形態】
【００１１】
図１〜３を参照すると、シェービングかみそり１０は、取り外し可能にハンドル１４に結合された、ハウジングすなわちカートリッジ１２を含む。ハウジング１２は、ハウジング１２に取り付けられた１つ以上の第一ブレード１７と、ハウジング１２に取り付けられた別個の第二ブレードすなわちトリマーブレード１９とを含む。ブレード１７及び１９は、金属クリップ２１によってハウジング１２中に保持される。第一ブレード１７は、ほぼ平行な鋭い刃先１８を有して、第一方向に延びている。第二ブレードすなわちトリマーブレード１９は、第一方向とは異なる第二方向に延びる、鋭い刃先２０を有する。第一ブレード１７は、その刃先１８をハウジング１２の第一側２３上に有し、一方、第二ブレード１９は、その刃先２０をハウジング１２の反対第二側２５上に有する。
【００１２】
ここで図２を参照すると、ガード構造体３０は、ハウジング１２上に設けられて、ブレード１７の前側で皮膚に接触するようになっており、更に、キャップ構造体３４が、ハウジング１２上に設けられて、シェービングストローク中に、ブレード１７の後ろ側で皮膚に接触するようになっている。ガード構造体３０は、エラストマー材を含んでもよい。キャップ構造体３４は、潤滑ストリップを含んでもよい。
【００１３】
ここで図３を参照すると、ガード構造体４０が、ハウジング１２上に設けられて、ブレード１９の前側で皮膚に接触するようになっており、更に、キャップ構造体４４が、ハウジング１２上に設けられて、シェービングストローク中に、ブレード１９の後ろ側で皮膚に接触するようになっている。ガード構造体４０は、エラストマー材を含んでもよい。キャップ構造体４４は、潤滑ストリップを含んでもよい。
【００１４】
ここで図１を参照すると、ハウジング１２は、ハブ３５から延びる対のアーム５２を有するヨーク部材５０上に駆動可能に結合され、ハウジング１２の対向する両端部で軸支持されており、その結果、ハウジング１２は、ブレードエッジにほぼ平行な軸線周りでハンドル１４に対して旋回可能である。ハブ３５は、選択的にハンドル１３に取り付けられ、取り外される。いかなる既知のハブも利用可能である。この実施形態では、リリースボタン３６がハブ３３５と協働しており、リリースボタン３６が内向きに押されたときに、ハブ３５がハンドル１３から係合を解かれるようになっている。
【００１５】
ここで図４を参照すると、シェービングかみそり１０は、トリミングブレード１９（図示せず）がユーザーの皮膚７０に接触するような位置に保持されている。トリミングブレード１９は、この角度から見るとき、ハウジング１２によって視界から隠されているので示されない。ユーザーがトリミングブレードのトリミングブレードエッジをユーザーの皮膚上で正確に整列できるようにするために、ハウジング１２には、トリミングブレード整列部材６０が設けられる。トリミングブレード整列部材６０は、ハウジング１２の側面６２上に設けられる。同一のブレード整列部材が、反対側面６４（図４に示さず）上に設けられる。トリミングブレード整列部材６０は、トリミングブレード１９及びトリミングブレードエッジ２０の位置を表示する。トリミングブレード整列部材６０は、ハウジング１２上で視覚表示を提供することによって、トリミングブレード１９及びトリミングブレードエッジ２０の位置を表す。ユーザーは、顔のシェービングをするとき、鏡の助けを借りて整列部材６０を容易に見ることができ、トリミングブレードエッジ２０を意図される場所に正確に位置決めして、正確なシェービングを可能にすることができる。
【００１６】
図４に示されるように、整列部材６０は、ハウジング１２上の線状マークである。整列部材６０は、ハウジング１２の側面６２上に設けられる。整列部材６０は、トリミングブレードエッジをユーザーの皮膚上で正確に整列させるのに加えて、ハウジングがユーザーの皮膚７０に対して保持されるべき角度をも表示する。図４では、整列部材６０は、ユーザーの皮膚７０に対してほぼ垂直に、すなわち、ユーザーの皮膚７０に対してほぼ９０度の角度で保持されるように、ハウジング１２上で位置決めされている。
【００１７】
整列部材６０が第一の色であってもよく、ハウジング１２が、第一の色とは異なる、第二の色であってもよい。例えば、整列部材がオレンジであって、ハウジングがブルーであってもよい。或いは、整列部材が、暗いオレンジのような第一の色合のオレンジであって、ハウジングが、より明るい色合のオレンジであってもよい。
【００１８】
整列部材６０は、ハウジング１２上に印刷されてもよく、塗られてもよい。整列部材６０は、ハウジング１２を製作する元型に組み込まれてもよい。整列部材６０は、ハウジング１２に貼り付けられたステッカーであってもよい。整列部材６０は、ハウジング１２に固定された別個の部材であってもよい。例えば、別個の部材が、金属、プラスチック、又はゴムであってもよく、これが、任意の従来手段によってハウジング１２に固定されてもよい。
【００１９】
ここで図５及び６を参照すると、整列部材６０を側面６２及び６４上に有するハウジング１２が示されている。それぞれの整列部材６０は、ハウジング１２中の凹部である。図６に示されるように、整列部材６０の凹部の上側部分が、トリマーブレード１９のブレードエッジ２０に整列する。ハウジング１２は、ブレード１９の前にガード構造体４０を、及びブレード１９の後にキャップ構造体４４を有する。
【００２０】
ここで図７及び８を参照すると、整列部材６０を側面６２及び６４上に有するハウジング１２が示されている。それぞれの整列部材６０は、ハウジング１２から外向きに延びる突出部である。図８に示されるように、整列部材６０の突出部の上側部分が、トリマーブレード１９のブレードエッジ２０に整列する。ハウジング１２は、ブレード１９の前にガード構造体４０を、及びブレード１９の後にキャップ構造体を有する。
【００２１】
整列部材６０は、反射性材料などの高照度要素であってもよい。整列部材６０は、ハウジング上の発光マークであってもよい。整列部材６０は、発光ダイオードなどの電気的に活性化される構成要素であってもよい。
【００２２】
ここで図９を参照すると、ハウジング１２は、トリミングブレード１９のブレードエッジ２０の前で皮膚７０に接触する、皮膚接触面又はガード４０を有する。皮膚接触面又はキャップ４４が、トリミングブレード１９のブレードエッジ２０の後ろで皮膚に接触する。皮膚接触面４０及び４４は、シェービングストローク遂行中の、ブレード１９のブレードエッジ２０の前及び後ろでの皮膚との接触のために、ハウジング上に設けられる。ハウジング１２の側縁部６２上の線状マークである整列部材６０は、皮膚接触面４０及び４４に接する平面６５に対してほぼ垂直に延びており、ブレードエッジの長手方向に突き出るブレードエッジ２０の位置と実質的に交差する。
【００２３】
「発明を実施するための最良の形態」で引用した全ての文献は、関連部分において本明細書に参照により組み込まれるが、いずれの文献の引用も、それが本発明に対する先行技術であることを容認するものと解釈されるべきではない。この文書における用語のいずれかの意味若しくは定義が、参照として組み込まれる文献における用語のいずれかの意味若しくは定義と対立する範囲については、本文書におけるその用語に与えられた定義を適用するものとする。
【００２４】
本発明にかかる具体的な実施形態を図示し、記載したが、本発明の趣旨及び範囲から逸脱することなく他の種々の変更及び修正を実施できることが当業者には自明である。従って、本発明の範囲内にあるそのような全ての変更及び修正を添付の特許請求の範囲で扱うものとする。
【図面の簡単な説明】
【００２５】
【図１】シェービングかみそりの斜視図。
【図２】図１に示されるシェービングかみそりのハウジングの前側すなわち第一側の平面図。
【図３】図１に示されるシェービングかみそりのハウジングの後ろ側すなわち第二側の平面図。
【図４】シェービングのために皮膚に当てられた図１のシェービングかみそりを示す図。
【図５】本発明のハウジングの代替実施形態の側面図。
【図６】図５のハウジングの前側すなわち第一側の平面図。
【図７】本発明のハウジングの代替実施形態の側面図。
【図８】図７のハウジングの前側又は第一側の平面図。
【図９】シェービングのために皮膚に当てられた、図１のシェービングかみそりハウジングの部分的な切り欠き図。
【図１】
2009542400.tif 000003
【図２】
2009542400.tif 000004
【図３】
2009542400.tif 000005
【図４】
2009542400.tif 000006
【図５】
2009542400.tif 000007
【図６】
2009542400.tif 000008
【図７】
2009542400.tif 000009
【図８】
2009542400.tif 000010
【図９】
2009542400.tif 000011
【国際調査報告】
2009542400.tif 000012
2009542400.tif 000013